(57)【要約】【課題】  包装して陳列販売する過程においては勿論、購入して使用後の保管に際しても、筆、化粧用筆、刷毛類の穂先部分を傷めたり変形させたりすることなく保護できるように考慮された咬合具付袋体を提供することである。【解決手段】  軸部６と穂先７から構成される筆や刷毛類５を収納する袋体であって、その収納部４は筆や刷毛類５が収納されて膨らんだ状態において、筆や刷毛類５の丈Ｈ１よりさらに丈Ｈ２を有するものとし、かつ、前記収納部４は袋体幅Ｂ１方向の内周径を、筆や刷毛類５が軸部６から穂先７へと潜り抜け可能な程度に軸部６並びに穂先７の周径よりも若干大きくなるように設定し、かかる収納部４の軸部６並びに穂先７側となる端部に咬合具８、１０付の開口部１２、１３を設けた。【選択図】        図１
2005096773.tif 000002
【特許請求の範囲】
【請求項１】
軸の部分と穂先から構成される筆や刷毛類を収納する袋体であって、その収納部は筆や刷毛類が収納されて膨らんだ状態において、筆や刷毛類の丈よりさらに丈を有するものとし、かつ、前記収納部は袋体幅方向の内周径を、筆や刷毛類が軸の部分から穂先へと潜り抜け可能な程度に軸部並びに穂先の周径よりも若干大きく設定し、かかる収納部の軸部側並びに穂先側となる端部に咬合具付の開口部を設けたことを特徴とする咬合具付袋体。
【請求項２】
軸の部分と穂先から構成される筆や刷毛類を収納する袋体であって、吊り下げ部の下方に収納部が位置し、該収納部は筆や刷毛類が収納されて膨らんだ状態において、筆や刷毛類の丈よりさらに丈を有するものとし、かつ、前記収納部は袋体幅方向の内周径を、筆や刷毛類が軸の部分から穂先へと潜り抜け可能で、筆や刷毛類が袋体内で傾倒することがあってもその重心の移動範囲が軸部の幅範囲から外れないようにして袋幅を設定し、かかる収納部の上下に咬合具付の開口部を設けたことを特徴とする咬合具付袋体。
【請求項３】
収納部の下方に位置する咬合具を、上方からは開け難く、下方側からは開き易くなるようにしたことを特徴とする請求項２に記載の咬合具付袋体。
【請求項４】
穂先側若しくは収納部の上方に位置する咬合具の開口用耳片を咬合具に対して浅めに、一方軸部側若しくは収納部の下方に位置する咬合具の開口用耳片を咬合具に対して深めに設定したことを特徴とする請求項１乃至請求項３の何れかに記載の咬合具付袋体。
【請求項５】
軸部側若しくは収納部の下方に位置する咬合具付の開口部において、開口部を明示するための着色を施したことを特徴とする請求項１乃至請求項４の何れかに記載の咬合具付袋体。
【発明の詳細な説明】
【技術分野】
【０００１】
本発明は、文字や絵を書くための筆や、化粧用筆、刷毛類を収納する咬合具付袋体に関するものである。
【背景技術】
【０００２】
筆や、化粧用筆、刷毛類は穂先の形状、品質がいのちであり、この穂先部分を傷めたり変形させたりしないように保護することが望まれる。そのため、穂先部分をキャップ状のもので保護する形をとったり、昨今では合成樹脂フィルムの袋体に収納保護するような形がとられている。
【０００３】
この種袋体の代表的なものは、吊り下げるようにした袋体の底部に設けた開口部の一辺を延長して舌片部を形成し、この舌片部に接着剤層を設け、舌片部を折り返して開口部を接着密封するようにしたものであるが、この袋体に筆や、化粧用筆、刷毛類を収納し、正常な状態で吊り下げ陳列販売される情況においては、穂先部分を傷めたり変形させたりすることなく保護できる。しかしながら時として好ましくない情況がもたらされ易い。すなわち、出し入れの際に、軸の方からは収納し易いが、そうすると穂先の方から取り出すことになり取り出しづらくなる。また、この場合穂先が下になるため、自重で穂先を傷めたり変形させたりする恐れがある。逆に、穂先を上にし軸の方から取り出すようにするためには、穂先の方から収納せねばならず、収納し難いという問題がある。これを収納し易くするためには、ある程度大きめの袋体を用意すればこの問題を解決することができるが、そうすると筆や、化粧用筆、刷毛類が袋体内で傾斜して袋体の側部によっかかった状態に置かれる場合が出てくるが、そうすると自重により穂先が変形して折れ癖がつくという別の問題が発生する。更には、開口部に接着剤層が用いられているので、出し入れに際し、穂先の部分が接着剤層に付着して、毛を傷めたり、毛が抜けたり等穂先部分の損傷を生じる恐れがある。
【特許文献１】実公昭５４−４０３３１号公報
【特許文献１】実開昭５８−１８５５４１号公報
【特許文献１】実用新案登録第２５１２０８３号公報
【発明の開示】
【発明が解決しようとする課題】
【０００４】
本発明は、包装して陳列販売等する過程においては勿論、購入して使用後の保管に際しても、筆、化粧用筆、刷毛類の穂先部分を傷めたり変形させたりすることなく保護できるように考慮された咬合具付袋体を提供することである。
【課題を解決するための手段】
【０００５】
上記の課題を解決するための本発明は、請求項１に記載の通り、軸の部分と穂先から構成される筆や刷毛類を収納する袋体であって、その収納部は筆や刷毛類が収納されて膨らんだ状態において、筆や刷毛類の丈よりさらに丈を有するものとし、かつ、前記収納部は袋体幅方向の内周径を、筆や刷毛類が軸の部分から穂先へと潜り抜け可能な程度に軸部並びに穂先の周径よりも若干大きく設定し、かかる収納部の軸部側並びに穂先側となる端部に咬合具付の開口部を設けたことを特徴とするものである。
【０００６】
請求項２に記載の通り、軸の部分と穂先から構成される筆や刷毛類を収納する袋体であって、吊り下げ部の下方に収納部が位置し、該収納部は筆や刷毛類が収納されて膨らんだ状態において、筆や刷毛類の丈よりさらに丈を有するものとし、かつ、前記収納部は袋体幅方向の内周径を、筆や刷毛類が軸の部分から穂先へと潜り抜け可能で、筆や刷毛類が袋体内で傾倒することがあってもその重心の移動範囲が軸部の幅範囲から外れないようにして袋幅を設定し、かかる収納部の上下に咬合具付の開口部を設けたことを特徴とするものである。
【０００７】
請求項３に記載の通り、請求項２に記載の咬合具付袋体において、収納部の下方に位置する咬合具を、上方からは開け難く、下方側からは開き易くなるようにしたことを特徴とするものである。
【０００８】
請求項４に記載の通り、穂先側若しくは収納部の上方に位置する咬合具の開口用耳片を咬合具に対して浅めに、一方軸部側若しくは収納部の下方に位置する咬合具の開口用耳片を咬合具に対して深めに設定したことを特徴とするものである。
【０００９】
請求項５に記載の通り、軸部側若しくは収納部の下方に位置する咬合具付の開口部において、開口部を明示するための着色を施したことを特徴とするものである。
【発明の効果】
【００１０】
本発明によると、請求項１においては、筆や刷毛類はその軸部側より収納部に収納し、使用に際しては収納に係った穂先側の開口部ではなく軸部側近くの開口部から軸部を摘んで取り出す。このため、出し入れが円滑であり、穂先を損傷することもなく出し入れできる。従って、大きめの袋体を用意する必要がなくなり、筆や刷毛類は正常な状態を保って袋体内に収納され、穂先の変形が防止される。請求項２においては、かかる袋体を吊り下げ陳列販売できる。その際、筆や刷毛類が袋体内で傾倒することがあっても、その重心の移動範囲が軸部の幅範囲から外れないようにして袋幅を設定しているので、筆や刷毛類が袋体の側部によっかかった状態に置かれることがなく、この状態に置かれることによる穂先の変形が防止される。請求項３においては、下方の開口部を意図して開口しようとするときは容易に開口されるが、この下方の開口部は吊り下げ状態がもたらす収納部の内部圧力等によっては開口し難く、収納されている筆や刷毛類の重圧等では自然開口を抑止し筆や刷毛類の収納状態を確保する。請求項４においては、開口用耳片の咬合具に対しての深浅で視覚的に軸部側若しくは収納部の下方に位置する咬合具を捕らえ易くする。視覚的に捕らえ難さを覚える穂先側若しくは収納部の上方に位置する開口用耳片は、一歩引いて捕らえられる結果、作業に慎重さがもたらされる。請求項５においても請求項４と同様に、軸部側もしくは収納部の下方に位置する咬合具を捕らえ易くする。加えて意匠的効果を高める。そして、本発明による咬合具付袋体においては、包装して陳列販売等する過程においては勿論、購入して使用後の保管に際しても、前述のように出し入れが円滑であり、また、穂先の良好な状況を保持することができるものである。
【００１１】
以下本発明を実施するための最良の形態を図面に基づいて説明する。
【実施例１】
【００１２】
図１及び図２において、１は軸部６と穂先７から構成される筆や刷毛類５を収納する袋体であり、その収納部４は筆や刷毛類５が収納されて膨らんだ状態において、筆や刷毛類５の丈Ｈ１よりさらに丈Ｈ２を有している。そして、前記収納部４は袋体幅Ｂ１方向の内周径を筆や刷毛類５が軸部６から穂先７へと潜り抜け可能な程度に軸部６並びに穂先７の周径よりも若干大きくなるように設定している。なお、その際当然のことながら後述の咬合具８及び咬合具１０部分の袋体幅Ｂ１方向の内周径を併せて考慮の上この設定がなされる。この袋体幅Ｂ１方向の内周径の設定条件としては、袋体幅Ｂ１方向の内周径の下限は前記筆や刷毛類５が軸部６から穂先７へと潜り抜けを可能とする最低幅となり、袋体幅Ｂ１方向の内周径の上限は収納部４に収納した筆や刷毛類５により収納部４を押し広げて収納部４のフィルムに張力を付与しうる最大幅ということになる。掛かる状況下においては筆や刷毛類５の左右への動きはこの張力によって拘束され、筆や刷毛類５の穂先７の変形に繋がる動きを抑制し、緩衝する。また、収納部４の穂先７側となる端部に咬合具８を有する開口部１２を、軸部６側となる端部に咬合具１０を有する開口部１３を設けた構造である。
【００１３】
この実施例１においては、筆や刷毛類５を収納部４へ収納するときは咬合具８を開けて開口部１２より筆や刷毛類５の軸部６から挿入する。これにより穂先７は開口部１２に引っかかることなく軸部６に先導されて容易に収納部４に収納される。
【００１４】
前記収納部４に収納されている筆や刷毛類５を取り出すときは、咬合具１０を開き開口部１３から軸部６を摘んで引き出す。この筆や刷毛類５を収納部４から引き出すときにも穂先７は開口部１３に引っかかることなく或いは穂先７を直接引っ張って取り出すようなこともなく容易に収納部４から取り出される。
【００１５】
つまり、筆や刷毛類５を収納部４の開口部１２から軸部６より収納部４に収納し、収納部４のもう一方の開口部１３から軸部６より収納部４から引き出すことにより、穂先７は開口部１２、１３に引っかかって毛をさかなで等することなく軸部６に先導されて袋体内を移動することになるから、穂先７を傷めることなく収納部４に容易に収納し、かつ取り出すことができるのである。この為、従来のように大きめの袋体を用意する必要もなく、袋体内での安定した収納状態が具現され、穂先７の変形が防止されるものである。
【００１６】
また、袋体幅Ｂ１方向の内周径を筆や刷毛類５が軸部６から穂先７へと潜り抜け可能な程度に軸部６並びに穂先７の周径よりも若干大きくなるように設定したことにより、すなわち、袋体幅Ｂ１方向の内周径の下限は前記筆や刷毛類５が軸部６から穂先７へと潜り抜けを可能とする最低幅とし、袋体幅Ｂ１方向の内周径の上限は収納部４に収納した筆や刷毛類５により収納部４を押し広げて収納部４のフィルムに張力を付与しうる最大幅としたことにより、筆や刷毛類５に対してフイルムに掛かる張力で面圧接力が作用し易くなる。このため筆や刷毛類５が収納部４内で上下左右動しても、その動きはこの面圧接力によって拘束され、これにより筆や刷毛類５の穂先７を変形しようとする力が抑制、吸収され穂先７を保護する作用効果を有している。これが前述の安定した収納状態であるが、従来、大きめの袋体（袋体幅Ｂ１方向の内周径が上述の最大幅を超えるような袋体）が用意されることによって、出し入れは楽になるが筆や刷毛類５にこのような張力がほとんど作用せず、図５に示すような穂先７の変形状態を生じることを問題視しているものである。
【実施例２】
【００１７】
本発明の実施例２は、上記実施例１の構造の袋体に吊り下げ部を設け吊り下げ陳列を可能とし、さらに吊り下げ使用時の望ましい袋体幅について条件設定を行ったものである。図３及び図４において、ハンガーシャフトに吊り下げるための穴３が開けられている吊り下げ部２の下方に収納部４が位置し、この収納部４は筆や刷毛類５が収納されて膨らんだ状態において、筆や刷毛類５の丈Ｈ１よりさらに丈Ｈ２を有しており、そして、前記収納部４は袋体幅Ｂ１方向の内周径を筆や刷毛類５が潜り抜け可能で、筆や刷毛類５が袋体１内で傾倒することがあってもその重心Ｇの移動範囲が軸部５の幅範囲Ｂ２から外れないように袋幅Ｂ１を設定し、収納部４の上端となる開口部１２に咬合具８を、下端となる開口部１３に咬合具１０を設けた構造である。
【００１８】
この実施例２においては、上記実施例１の作用効果に加えて、筆や刷毛類５が収納部４に収納され吊り下げ陳列されている状態で穂先７を変形して傷めることを防止して品質を確保するものである。これは図５で示すように、筆や刷毛類５が袋体内で筆や刷毛類５の重心Ｇの移動範囲が軸部５の幅範囲Ｂ２から外れるような大きな袋幅Ｂ３の場合、傾倒した筆や刷毛類５の穂先７は袋体の側部に圧接して穂先７が変形し、その状態が長時間になると変形癖がつき穂先７を傷めて品質不良となるからである。
【００１９】
すなわち、袋体幅Ｂ１方向の内周径を筆や刷毛類５が潜り抜け可能とするのが下限で、筆や刷毛類５が袋体１内で傾倒することがあってもその重心Ｇの移動範囲が軸部５の幅範囲Ｂ２から外れないようにするのを上限として、その範囲内に袋体幅Ｂ１方向の内周径が設定されるものである。
【００２０】
これにより本発明は上記のように、筆や刷毛類５が袋体１内で傾倒することがあってもその重心Ｇの移動範囲が軸部５の幅範囲Ｂ２から外れないように袋幅Ｂ１を設定したものであるから、穂先７を袋体の側部に圧接して変形するような傾倒が抑止され、袋体内で品質不良を生じることなく常に穂先７を正常な形態に維持して収納することができ、筆や刷毛類５を吊り下げ陳列販売する袋体として、従来の吊り下げ陳列販売する袋体では得られない作用効果を有しているものである。なお、吊り下げ形態としては、穴開けによるものに限定されるものではなく、他の、たとえばフック状のものを一体化して吊り下げるような形態としてもよい。
【実施例３】
【００２１】
本発明の実施例３は、上記の実施例２において、収納部４の下方に位置する咬合具１０を、上方からは開け難く、下方側からは開き易くなるようにしたものである。これは、咬合具１０の形状構造を考慮したり、咬合具付テープを接着一体化する場合は咬合具に対しての接着位置を考慮することによって可能であり、たとえば咬合具１０の上下咬み合い角度を、上部が比較的鋭角に下部が比較的鈍角に咬み合うようにしたり、たとえば上部の接着位置を咬合具から遠く、下部の接着位置を咬合具から近くすることによって実現することができる。この実施例３においては、実施例２の作用効果に加えて収納部４に収納されている筆や刷毛類５の重圧等では自然開口を抑止し筆や刷毛類５の収納状態を確保するものである。
【実施例４】
【００２２】
本発明の実施例４は、上記実施例１乃至３において、穂先７側若しくは収納部４の上方に位置する咬合具８の開口用耳片９を咬合具８に対し長さL１の浅めに、一方軸部６側若しくは収納部４の下方に位置する咬合具１０の開口用耳片１１を咬合具１０に対し長さL２の深めに設定したものである。このようにすることにより穂先７側若しくは収納部４の上方に位置する咬合具８の開口用耳片９は視覚的に捕らえ難さがあり、軸部６側若しくは収納部４の下方に位置する咬合具１０の開口用耳片１１は視覚的に捕らえ易く、筆や刷毛類５を取り出そうとした手が自然と軸部６側若しくは下方に位置する咬合具１０の開口用耳片１１に向かうことになる。
【００２３】
一方前述のように視覚的に捕らえ難さを覚える穂先７側若しくは収納部４の上方に位置する咬合具８の開口用耳片９は、その結果その開口に注意が払われることになり、自然と作業に慎重さがもたらされる。その慎重さが収納作業を支障なく行うことに繋がる。
【実施例５】
【００２４】
本発明の実施例５は、上記実施例１乃至４において、軸部６側若しくは収納部４の下方に位置する咬合具１０付の開口部１３において、この開口部１３を明示するための着色を施したものである。この着色は咬合具１０のみの着色であっても、咬合具１０とその周辺の開口部１３を含むものであっても、咬合具１０を除く周辺の開口部１３に施されるものであってもよい。
【００２５】
こうすることによって、請求項４と同様に、軸部６側若しくは収納部４の下方に位置する咬合具１０を捕らえ易くする。加えて意匠的効果を高める。かかる着色は穂先７側若しくは収納部４の上方に位置する咬合具８付の開口部１２についても施してもよい。その場合は後者を控えめなものにすることが望ましい。
【図面の簡単な説明】
【００２６】
【図１】本発明による咬合具付袋体の正面図
【図２】図１のA−A線断面図
【図３】本発明による吊り下げ部付咬合具付袋体の正面図
【図４】図３のＣ−Ｃ線断面図
【図５】本発明による筆や刷毛類の特定物品を収納する咬合具付袋体において袋幅の設定条件を特定する意味を示す図
【符号の説明】
【００２７】
１      袋体
２      吊り下げ部
３      穴
４      収納部
５      筆や刷毛類
６      軸部
７      穂先
８      咬合具
９      開口用耳片
１０      咬合具
１１      開口用耳片
１２      開口部
１３      開口部
【図１】
2005096773.tif 000003
【図２】
2005096773.tif 000004
【図３】
2005096773.tif 000005
【図４】
2005096773.tif 000006
【図５】
2005096773.tif 000007